(57)【要約】【課題】前板および側板の長さに制約されずに折り畳みが可能な机の提供を目的とする。【解決手段】折り畳み机１は、天板２と、一対の側板３１、３２と、前板４とを備え、第１のヒンジ部５が、第１ヒンジＨ１を有し、第２のヒンジ部６が、第１板状体６１および第２ヒンジＨ２を有し、一方の側板３１が前板４に向かって折り畳まれたときに、一方の側板３１と前板４とが略平行となるように、第１板状体６１が所定の厚さを有し、第３のヒンジ部７が、天板２の下面２ａに取り付けられる第２板状体７１、他方の側板３２の内側面３２ａに取り付けられる第３板状体７２、および、第２板状体７１と第３板状体７２とを接続する第３ヒンジＨ３を有し、他方の側板３２が一方の側板３１に向かって折り畳まれたときに、他方の側板３２と一方の側板３１とが略平行となるように、第２板状体７１および第３板状体７２が所定の合計厚さを有している。【選択図】図２
2018086074.tif 000002
【特許請求の範囲】
【請求項１】
天板（２）と、互いに対向する一対の側板（３１、３２）と、前記一対の側板（３１、３２）の間に配置される前板（４）とを備え、前記一対の側板（３１、３２）および前記前板（４）は、前記天板（２）に対して略垂直方向に広げられた使用状態から、前記天板（２）に対して略平行となる折り畳み状態へと折り畳み可能な折り畳み机（１）であって、前記折り畳み机（１）は、
前記前板（４）を前記天板（２）に対して旋回させる第１のヒンジ部（５）と、前記一対の側板（３１、３２）のうちの一方の側板（３１）を前記天板（２）に対して旋回させる第２のヒンジ部（６）と、前記一対の側板（３１、３２）のうちの他方の側板（３２）を前記天板（２）に対して旋回させる第３のヒンジ部（７）とを備え、
前記第１のヒンジ部（５）が、
前記前板（４）の手前側の面（４ａ）と前記天板（２）の下面（２ａ）とを接続する第１ヒンジ（Ｈ１）を有し、
前記第２のヒンジ部（６）が、
前記天板（２）の下面（２ａ）または前記一方の側板（３１）の内側面（３１ａ）に取り付けられた第１板状体（６１）、および、
前記第１板状体（６１）と前記一方の側板（３１）の内側面（３１ａ）または前記天板（２）の下面（２ａ）とを接続する第２ヒンジ（Ｈ２）を有し、
前記一方の側板（３１）が前記前板（４）に向かって折り畳まれたときに、前記一方の側板（３１）と前記前板（４）とが略平行となるように、前記第１板状体（６１）が所定の厚さを有し、
前記第３のヒンジ部（７）が、
前記天板（２）の下面（２ａ）に取り付けられる第２板状体（７１）、
前記他方の側板（３２）の内側面（３２ａ）に取り付けられる第３板状体（７２）、および、
前記第２板状体（７１）と前記第３板状体（７２）とを接続する第３ヒンジ（Ｈ３）
を有し、
前記他方の側板（３２）が前記一方の側板（３１）に向かって折り畳まれたときに、前記他方の側板（３２）と前記一方の側板（３１）とが略平行となるように、前記第２板状体（７１）および前記第３板状体（７２）が所定の合計厚さを有している折り畳み机。
【請求項２】
前記一方の側板（３１）が前記前板（４）に向かって折り畳まれたときに、
前記第１板状体（６１）の厚さと、前記一方の側板（３１）が折り畳まれた状態のときの前記第２ヒンジ（Ｈ２）の厚さとの合計が、前記前板（４）の厚さと前記前板（４）が折り畳まれた状態のときの第１ヒンジ（Ｈ１）の厚さとの合計以上であり、
前記他方の側板（３２）が前記一方の側板（３１）に向かって折り畳まれたときに、
前記第２板状体（７１）の厚さ、前記第３板状体（７２）の厚さ、および前記他方の側板（３２）が折り畳まれた状態のときの前記第３ヒンジ（Ｈ３）の厚さの合計が、前記第１板状体（６１）の厚さ、前記一方の側板（３１）が折り畳まれた状態のときの前記第２ヒンジ（Ｈ２）の厚さ、および前記一方の側板（３１）の厚さの合計以上である
請求項１記載の折り畳み机。
【請求項３】
前記前板（４）が、前記前板（４）の奥側の面（４ｂ）の一方の側板（３１）側および他方の側板（３２）側に、第１および第２係合部（４１、４２）を有し、
前記一対の側板（３１、３２）のそれぞれが、前記第１および第２係合部（４１、４２）にそれぞれ係合する第１および第２被係合部（Ｅ１、Ｅ２）を有している請求項１または２記載の折り畳み机。
【請求項４】
前記第１および第２被係合部（Ｅ１、Ｅ２）が、折り畳み机（１）が広げられた状態で、前記前板（４）の奥側の面（４ｂ）に向かって突出する突起であり、
前記一方の側板（３１）に設けられた第１係合部（Ｅ１）が、前記一方の側板（３１）のうち、前板（４）の下端側に対向する位置に設けられ、前記他方の側板（３２）に設けられた第２係合部（Ｅ２）が、前記他方の側板（３２）の天板側に設けられ、
前記一方の側板（３１）に設けられた第１係合部（Ｅ１）が、前記前板（４）が折り畳まれた状態で、前記一方の側板（３１）を折り畳む際に前記前板（４）に干渉せず、
前記他方の側板（３２）に設けられた第２被係合部（Ｅ２）が、前記一方および他方の側板（３１、３２）が折り畳まれた状態で、前記他方の側板（３２）を折り畳む際に前記前板（４）および前記一方の側板（３１）に干渉しないように設けられている請求項３記載の折り畳み机。
【請求項５】
天板（２）と、互いに対向する一対の側板（３１、３２）と、前記一対の側板（３１、３２）の間に配置される前板（４）とを備え、前記一対の側板（３１、３２）および前記前板（４）は、前記天板（２）に対して略垂直方向に広げられた使用状態から、前記天板（２）に対して略平行となる折り畳み状態へと折り畳み可能な折り畳み机（１００）であって、前記折り畳み机（１００）は、
前記前板（４）を前記天板（２）に対して旋回させる第１のヒンジ部（５）と、前記一対の側板（３１、３２）のうちの一方の側板（３１）を前記天板（２）に対して旋回させる第２のヒンジ部（６）と、前記一対の側板（３１、３２）のうちの他方の側板（３２）を前記天板（２）に対して旋回させる第３のヒンジ部（７）とを備え、
前記第１のヒンジ部（５）が、
前記前板（４）の手前側の面（４ａ）と前記天板（２）の下面（２ａ）とを接続する第１ヒンジ（Ｈ１）を有し、
前記第２のヒンジ部（６）が、
前記天板（２）の下面（２ａ）または前記一方の側板（３１）の内側面（３１ａ）に取り付けられた第１板状体（６１）、および、
前記第１板状体（６１）と前記一方の側板（３１）の内側面（３１ａ）または前記天板（２）の下面（２ａ）とを接続する第２ヒンジ（Ｈ２）を有し、
前記一方の側板（３１）が前記前板（４）に向かって折り畳まれたときに、前記一方の側板（３１）と前記前板（４）とが略平行となるように、前記第１板状体（６１）が所定の厚さを有し、
前記第３のヒンジ部（７）が、
前記天板（２）の下面（２ａ）または前記他方の側板（３２）の内側面（３２ａ）に取り付けられた第２板状体（７１０）と、
前記第２板状体（７１０）と、前記天板（２）の下面（２ａ）または前記他方の側板（３２）の内側面（３２ａ）とを接続し、前記他方の側板（３２）が前記天板（２）に対して回転するように設けられた第３ヒンジ（Ｈ３）と
を有し、
前記他方の側板（３２）が前記一方の側板（３１）に向かって折り畳まれたときに、前記他方の側板（３２）と前記一方の側板（３１）とが略平行となるように、前記第２板状体（７１０）が所定の厚さを有している折り畳み机。
【請求項６】
前記一方の側板（３１）が前記前板（４）に向かって折り畳まれたときに、
前記第１板状体（６１）の厚さと、前記一方の側板（３１）が折り畳まれた状態のときの前記第２ヒンジ（Ｈ２）の厚さとの合計が、前記前板（４）の厚さと前記前板（４）が折り畳まれた状態のときの第１ヒンジ（Ｈ１）の厚さとの合計以上であり、
前記他方の側板（３２）が前記一方の側板（３１）に向かって折り畳まれたときに、
前記第２板状体（７１０）の厚さ、および前記他方の側板（３２）が折り畳まれた状態のときの前記第３ヒンジ（Ｈ３）の厚さの合計が、前記第１板状体（６１）の厚さ、前記一方の側板（３１）が折り畳まれた状態のときの前記第２ヒンジ（Ｈ２）の厚さ、および前記一方の側板（３１）の厚さの合計以上である
請求項５記載の折り畳み机。
【発明の詳細な説明】
【技術分野】
【０００１】
本発明は折り畳み机に関する。
【背景技術】
【０００２】
軽量で折り畳みが可能な机として、特許文献１に記載の折り畳み机が開示されている。この特許文献１に記載された折り畳み机は、天板と、一対の側板と、前板とを備えている。この折り畳み机を折り畳む際には、まず、一対の側板を、天板に対して垂直な軸周りに回転させて、前板に向かって折り畳む。その後、前板に平行な状態まで折り畳まれた一対の側板とともに、前板を天板に向けて折り畳んで、机を折り畳んだ状態にする。
【先行技術文献】
【特許文献】
【０００３】
【特許文献１】特開２０１５−２０２１４２号公報
【発明の概要】
【発明が解決しようとする課題】
【０００４】
しかし、この特許文献１の構造の場合、左右に設けられた一対の側板をまず前板に対して折り畳む必要があるため、側板２枚が折り畳まれた時点で側板同士が重ならないように、側板の前後方向の長さを設定する必要がある。そのため、側板の長さや前板の長さに制約がある。
【０００５】
そこで、本発明は、かかる問題点に鑑みて、前板および側板の長さに制約されずに折り畳みが可能な机の提供を目的とする。
【課題を解決するための手段】
【０００６】
本発明の折り畳み机は、天板と、互いに対向する一対の側板と、前記一対の側板の間に配置される前板とを備え、前記一対の側板および前記前板は、前記天板に対して略垂直方向に広げられた使用状態から、前記天板に対して略平行となる折り畳み状態へと折り畳み可能な折り畳み机であって、前記折り畳み机は、前記前板を前記天板に対して旋回させる第１のヒンジ部と、前記一対の側板のうちの一方の側板を前記天板に対して旋回させる第２のヒンジ部と、前記一対の側板のうちの他方の側板を前記天板に対して旋回させる第３のヒンジ部とを備え、前記第１のヒンジ部が、前記前板の手前側の面と前記天板の下面とを接続する第１ヒンジを有し、前記第２のヒンジ部が、前記天板の下面または前記一方の側板の内側面に取り付けられた第１板状体、および、前記第１板状体と前記一方の側板の内側面または前記天板の下面とを接続する第２ヒンジを有し、前記一方の側板が前記前板に向かって折り畳まれたときに、前記一方の側板と前記前板とが略平行となるように、前記第１板状体が所定の厚さを有し、前記第３のヒンジ部が、前記天板の下面に取り付けられる第２板状体、前記他方の側板の内側面に取り付けられる第３板状体、および、前記第２板状体と前記第３板状体とを接続する第３ヒンジを有し、前記他方の側板が前記一方の側板に向かって折り畳まれたときに、前記他方の側板と前記一方の側板とが略平行となるように、前記第２板状体および前記第３板状体が所定の合計厚さを有していることを特徴とする。
【０００７】
また、前記一方の側板が前記前板に向かって折り畳まれたときに、前記第１板状体の厚さと、前記一方の側板が折り畳まれた状態のときの前記第２ヒンジの厚さとの合計が、前記前板の厚さと前記前板が折り畳まれた状態のときの第１ヒンジの厚さとの合計以上であり、前記他方の側板が前記一方の側板に向かって折り畳まれたときに、前記第２板状体の厚さ、前記第３板状体の厚さ、および前記他方の側板が折り畳まれた状態のときの前記第３ヒンジの厚さの合計が、前記第１板状体の厚さ、前記一方の側板が折り畳まれた状態のときの前記第２ヒンジの厚さ、および前記一方の側板の厚さの合計以上であることが好ましい。
【０００８】
また、前記前板が、前記前板の奥側の面の一方の側板側および他方の側板側に、第１および第２係合部を有し、前記一対の側板のそれぞれが、前記第１および第２係合部にそれぞれ係合する第１および第２被係合部を有していることが好ましい。
【０００９】
また、前記第１および第２被係合部が、折り畳み机が広げられた状態で、前記前板の奥側の面に向かって突出する突起であり、前記一方の側板に設けられた第１係合部が、前記一方の側板のうち、前板の下端側に対向する位置に設けられ、前記他方の側板に設けられた第２係合部が、前記他方の側板の天板側に設けられ、前記一方の側板に設けられた第１係合部が、前記前板が折り畳まれた状態で、前記一方の側板を折り畳む際に前記前板に干渉せず、前記他方の側板に設けられた第２被係合部が、前記一方および他方の側板が折り畳まれた状態で、前記他方の側板を折り畳む際に前記前板および前記一方の側板に干渉しないように設けられていることが好ましい。
【００１０】
また、本発明の他の実施形態の折り畳み机は、天板と、互いに対向する一対の側板と、前記一対の側板の間に配置される前板とを備え、前記一対の側板および前記前板は、前記天板に対して略垂直方向に広げられた使用状態から、前記天板に対して略平行となる折り畳み状態へと折り畳み可能な折り畳み机であって、前記折り畳み机は、前記前板を前記天板に対して旋回させる第１のヒンジ部と、前記一対の側板のうちの一方の側板を前記天板に対して旋回させる第２のヒンジ部と、前記一対の側板のうちの他方の側板を前記天板に対して旋回させる第３のヒンジ部とを備え、前記第１のヒンジ部が、前記前板の手前側の面と前記天板の下面とを接続する第１ヒンジを有し、前記第２のヒンジ部が、前記天板の下面または前記一方の側板の内側面に取り付けられた第１板状体、および、前記第１板状体と前記一方の側板の内側面または前記天板の下面とを接続する第２ヒンジを有し、前記一方の側板が前記前板に向かって折り畳まれたときに、前記一方の側板と前記前板とが略平行となるように、前記第１板状体が所定の厚さを有し、前記第３のヒンジ部が、前記天板の下面または前記他方の側板の内側面に取り付けられた第２板状体と、前記第２板状体と、前記天板の下面または前記他方の側板の内側面とを接続し、前記他方の側板が前記天板に対して回転するように設けられた第３ヒンジとを有し、前記他方の側板が前記一方の側板に向かって折り畳まれたときに、前記他方の側板と前記一方の側板とが略平行となるように、前記第２板状体が所定の厚さを有していることを特徴とする。
【００１１】
また、本発明の他の実施形態の折り畳み机は、前記一方の側板が前記前板に向かって折り畳まれたときに、前記第１板状体の厚さと、前記一方の側板が折り畳まれた状態のときの前記第２ヒンジの厚さとの合計が、前記前板の厚さと前記前板が折り畳まれた状態のときの第１ヒンジの厚さとの合計以上であり、前記他方の側板が前記一方の側板に向かって折り畳まれたときに、前記第２板状体の厚さ、および前記他方の側板が折り畳まれた状態のときの前記第３ヒンジの厚さの合計が、前記第１板状体の厚さ、前記一方の側板が折り畳まれた状態のときの前記第２ヒンジの厚さ、および前記一方の側板の厚さの合計以上であることが好ましい。
【発明の効果】
【００１２】
本発明の折り畳み机によれば、前板および側板の長さに制約されずに折り畳みが可能となる。
【図面の簡単な説明】
【００１３】
【図１】本発明の一実施形態の折り畳み机の斜視図である。
【図２】図１の折り畳み机の正面図である。
【図３】図１の折り畳み机の底面側から見た図である。
【図４】図３のＡ−Ａ線断面図である。
【図５】図１の折り畳み机を、他方の側板の外側面側から見た側面図である。
【図６】本発明の一実施形態の折り畳み机を幅方向に見た図であり、前板が折り畳まれた状態を示す概略図である。
【図７】図６に示される状態を、奥行方向に見た概略図である。
【図８】図６に示される状態を、折り畳み机の底面側から見た概略図である。
【図９】図７に示される状態から、一方の側板を折り畳んだ状態を示す概略図である。
【図１０】図９に示される状態を、折り畳み机の底面側から見た概略図である。
【図１１】図９に示される状態から、他方の側板を折り畳んだ状態を示す概略図である。
【図１２】図１に示される第３のヒンジ部の拡大図である。
【図１３】本発明の他の実施形態の折り畳み机が折り畳まれた状態を示す図である。
【発明を実施するための形態】
【００１４】
以下、図面を参照し、本発明の一実施形態の折り畳み机を詳細に説明する。
【００１５】
＜第１実施形態＞
図１に示されるように、本実施形態の折り畳み机１は、天板２と、互いに対向する一対の側板３１、３２と、一対の側板３１、３２の間に配置される前板４とを備えている。側板３１、３２は、折り畳み机１の使用状態において、机の脚部となる部分である。前板４は、一対の側板３１、３２との間に配置され、側板３１、３２同士を前板４を介して連結することにより、折り畳み机１の横揺れ（一対の側板３１、３２を結ぶ方向の揺れ）に対する強度を確保する。なお、本明細書において、折り畳み机１の高さ方向（上下方向）を参照符号Ｘで示し、一対の側板３１、３２を結ぶ方向を折り畳み机１の幅方向と呼び、参照符号Ｙで示し、折り畳み机１の高さ方向Ｘおよび幅方向Ｙの両方に垂直な方向を、折り畳み机１の奥行方向と呼び、参照符号Ｚで示す。
【００１６】
本実施形態の折り畳み机１は、一対の側板３１、３２および前板４が、天板２に対して略垂直方向に広げられた使用状態（図１および図２参照）から、天板２に対して略平行となる折り畳み状態（図１１参照）へと折り畳まれるように構成されている。これにより、折り畳み机１を使用しないときには、コンパクトな状態とすることができ、後述するように複数の折り畳み机１を積み重ねて、倉庫などの収容部に収容することができる。折り畳み机１の用途は特に限定されないが、本実施形態の折り畳み机１は、たとえば旅館やホテルの宴会場などにおける食事の際など、収納と設置とを繰り返す持ち運び可能な折り畳み机に好適に用いられる。
【００１７】
天板２、側板３１、３２および前板４のそれぞれの内部構造は特に限定されないが、天板２、側板３１、３２および前板４のうちの少なくとも１つ（好ましくは全て）が、内部に中空部を有する軽量板から構成されることが好ましい。天板２、側板３１、３２および前板４のうちの少なくとも１つが内部に中空部を有する軽量板から構成されることにより、折り畳み机１を軽量化することができ、持ち運びが容易となる。内部に中空部を有する構造は特に限定されないが、たとえば、ハニカム内部構造があげられる。この場合、軽量化と強度の向上を両立させることができる。天板２、側板３１、３２および側板４を、ハニカム内部構造を有するものとする場合、内部に複数の六角柱が形成されるように複数の仕切壁を設けて、その仕切壁を２枚のシート材で挟み込むように構成する。２枚のシート材の間には、複数の六角柱状の空間が形成される。また、ハニカム内部構造に代えて、２枚のシート材の間に形成された中空部に、発泡樹脂が充填されていても構わない。また、ハニカム内部構造により形成された六角柱状の空間内に発泡樹脂が充填されたものであっても構わない。ここで、天板２、側板３１、３２および側板４のうち、いずれか１つをハニカム内部構造を有したものとしてもよいし、全てをハニカム内部構造を有したものとしてもよい。また、天板２、側板３１、３２および側板４のうち、いずれか１つを発泡樹脂を充填したものとしてもよいし、全てを発泡樹脂を充填したものとしてもよい。また、たとえば天板２のみをハニカム内部構造を有するものとし、側板３１、３２、側板４を発泡樹脂を充填したものとするなど、天板２、側板３１、３２および側板４の内部構造を、互いに異なる内部構造としても構わない。
【００１８】
天板２は、本実施形態では、図１〜図３に示されるように、略矩形状であるが、天板２の形状は略矩形状に限定されず、机の天板として機能するものであれば、円形、楕円形、多角形等、他の形状であっても構わない。図１〜図３に示されるように、前板４も天板２と同様に略矩形状として示されているが、前板４は広げられた一対の側板３１、３２の間に配置され、折り畳み机１を補強することができ、折り畳む際に支障のない形状であれば、その形状は特に限定されるものではない。側板３１、３２は、折り畳み机１の脚部として機能し、広げられた際に側板３１、３２の下端Ｌ（図１参照）が床などの設置場所と接するように構成されている。側板３１、３２は、天板２、前板４と同様に略矩形状として示されているが、側板３１、３２を折り畳む際に支障がなく、側板３１、３２の下端Ｌが床などと接したときに安定して折り畳み机１を支えることができる形状であればよく、その形状は特に限定されるものではない。
【００１９】
本実施形態の折り畳み机１は、折り畳み机１を折り畳むために、図２および図３に示されるように、前板４を天板２に対して旋回させる第１のヒンジ部５と、一対の側板３１、３２のうちの一方の側板３１を天板２に対して旋回させる第２のヒンジ部６と、一対の側板３１、３２のうちの他方の側板３２を天板２に対して旋回させる第３のヒンジ部７とを備えている。本実施形態の折り畳み机１は、折り畳む際に、最初に第１のヒンジ部５により前板４が折り畳まれ、次に第２のヒンジ部６により一方の側板３１が折り畳まれ、次に第３のヒンジ部７により他方の側板３２が折り畳まれる。折り畳み机１の折り畳みの詳細については、後述する。
【００２０】
第１のヒンジ部５は、図１〜図５に示されるように、前板４の手前側の面４ａと天板２の下面２ａとを接続する第１ヒンジＨ１を有している。第１ヒンジＨ１は、前板４が折り畳まれたときに、前板４の手前側の面４ａが、天板２の下面２ａと対向するように、前板４と天板２とを接続している。本実施形態では、第１ヒンジＨ１の回転軸が、折り畳み机１の幅方向Ｙに沿って延びるように設けられている。本実施形態では、図２に示されるように、第１ヒンジＨ１は、前板４の幅方向Ｙに沿って２か所設けられているが、第１ヒンジＨ１の個数は特に限定されない。また、本実施形態では、第１ヒンジＨ１は、平蝶番として示されているが、第１ヒンジＨ１は平蝶番に限定されず、前板４が天板２に対して旋回可能であれば、任意の種類のヒンジを用いることができる。
【００２１】
第２のヒンジ部６は、天板２の下面２ａまたは一方の側板３１の内側面３１ａに取り付けられた第１板状体６１、および、第１板状体６１と一方の側板３１の内側面３１ａまたは天板２の下面２ａとを接続する第２ヒンジＨ２を有している。本実施形態では、図１〜図３に示されるように、第１板状体６１は、天板２の下面２ａに取り付けられ、第２ヒンジＨ２は、第１板状体６１と一方の側板３１の内側面３１ａとを接続している。しかし、第１板状体６１は、一方の側板３１の内側面３１ａに取り付けられ、第２ヒンジＨ２が、第１板状体６１と天板２の下面２ａとを接続しても構わない。なお、第１板状体６１の天板２または一方の側板３１への固定方法は特に限定されないが、たとえば、接着剤やネジなどの公知の固定手段により固定することができる。
【００２２】
第１板状体６１は、折り畳み机１の折り畳み時に、最初に折り畳まれた前板４に対して、一方の側板３１が略平行に折り畳まれるように設けられる。第１板状体６１は、一方の側板３１が前板４に向かって折り畳まれたときに、一方の側板３１と前板４とが略平行となるように、第１板状体６１が所定の厚さを有している。より具体的には、一方の側板３１が前板４に向かって折り畳まれたときに、第１板状体６１の厚さと、一方の側板３１が折り畳まれた状態のときの第２ヒンジＨ２の厚さとの合計が、前板４の厚さと前板４が折り畳まれた状態のときの第１ヒンジＨ１の厚さとの合計以上となるように、第１板状体６１の厚さが設定される（図９参照）。なお、本実施形態では、第１板状体６１の厚さと、一方の側板３１が折り畳まれた状態のときの第２ヒンジＨ２の厚さとの合計が、前板４の厚さと前板４が折り畳まれた状態のときの第１ヒンジＨ１の厚さとの合計とほぼ同一となるように設定されている。本実施形態では、図７に示されるように、第１板状体６１の厚さが前板４の厚さよりも薄く構成されているが、第１板状体６１の厚さは、前板４の厚さと略同一または前板４の厚さより厚くしてもよい。このように構成することにより、一方の側板３１は、前板４に対して略平行に折り畳むことができる。
【００２３】
第１板状体６１は、図１および図２に示されるように、一方の側板３１の内側面３１ａ（または天板２の下面２ａ）と面接触するように平坦な表面を有していることが好ましい。第１板状体６１の個数は特に限定されないが、本実施形態では、折り畳み机１の奥行方向Ｚの両端側に２つの第１板状体６１を有している。奥行方向Ｚで一対の第１板状体６１の間には、前板４が畳まれたときに、前板４が第１板状体６１に重ならないような間隔が形成されている（一対の第１板状体６１の間の間隔が、折り畳まれた前板４の奥行方向Ｚでの長さより大きい。図６および図８参照）。なお、第１板状体６１は、略矩形の板状体として示されているが、その形状は特に限定されない。
【００２４】
第２ヒンジＨ２は、一方の側板３１が折り畳まれたときに、天板２に対して一方の側板３１が旋回するように設けられている。一方の側板３１が天板２に対して旋回することにより、一方の側板３１の内側面３１ａが、折り畳まれた前板４の奥側の面４ｂ（手前側の面４ａの反対側の面）と対向する（図９参照）。本実施形態では、第２ヒンジＨ２の回転軸は、折り畳み机１の奥行方向Ｚに沿って延びるように設けられている。本実施形態では、第２ヒンジＨ２は、図３に示されるように、一対の第１板状体６１にそれぞれ１つずつ設けられているが、第２ヒンジＨ２の個数は特に限定されない。また、本実施形態では、第２ヒンジＨ２は、平蝶番として示されているが、第２ヒンジＨ２は平蝶番に限定されず、一方の側板３１が天板２に対して旋回可能であれば、任意の種類のヒンジを用いることができる。
【００２５】
第３のヒンジ部７は、図１〜図３に示されるように、天板２の下面２ａに取り付けられる第２板状体７１、他方の側板３２の内側面３２ａに取り付けられる第３板状体７２、および、第２板状体７１と第３板状体７２とを接続する第３ヒンジＨ３を有している。第２板状体７１の天板２への固定方法および第３板状体７２の他方の側板３２への固定方法は特に限定されず、たとえば、接着剤やネジなどの公知の固定手段により固定することができる。
【００２６】
第２および第３板状体７１、７２は、折り畳み机１の折り畳み時に、折り畳まれた一方の側板３１に対して、他方の側板３２が略平行に折り畳まれるように設けられる。本実施形態では、他方の側板３２が一方の側板３１に向かって折り畳まれたときに、他方の側板３２と一方の側板３１とが略平行となるように、第２板状体７１および第３板状体７２が所定の合計厚さを有している。より具体的には、他方の側板３２が一方の側板３１に向かって折り畳まれたときに、第２板状体７１の厚さ、第３板状体７２の厚さ、および他方の側板３２が折り畳まれた状態のときの第３ヒンジＨ３の厚さの合計が、第１板状体６１の厚さ、一方の側板３１が折り畳まれた状態のときの第２ヒンジＨ２の厚さ、および一方の側板３１の厚さの合計以上となるように、それぞれの厚さが設定されている（図１１参照）。第２板状体７１および第３板状体７２が所定の合計厚さを有することにより、他方の側板３２を、折り畳まれた一方の側板３１に対して略平行に折り畳むことができる。なお、本実施形態では、第２板状体７１の厚さ、第３板状体７２の厚さ、および他方の側板３２が折り畳まれた状態のときの第３ヒンジＨ３の厚さの合計が、第１板状体６１の厚さ、一方の側板３１が折り畳まれた状態のときの第２ヒンジＨ２の厚さ、および一方の側板３１の厚さの合計とほぼ同一となるように設定されている。本実施形態では、第２板状体７１が、第１板状体６１に対応した厚さを有し、第３板状体７２が、一方の側板３１の厚さ以上の厚さを有している。第２板状体７１の厚さは、第１板状体６１の厚さと略同一とすることが好ましい。この場合、第１板状体６１と第２板状体７１と同一の材料を用いることができ、製造コストを低減することができる。また、第３板状体７２の厚さは、一方の側板３１と略同一の厚さとすることが好ましい。
【００２７】
第２板状体７１は、第３板状体７２の表面と面接触するように平坦な表面を有していることが好ましい。第２板状体７１の個数は特に限定されないが、本実施形態では、折り畳み机１の奥行方向Ｚの両端側に２つの第２板状体７１を有している。奥行方向Ｚで一対の第２板状体７１は、前板４が畳まれたときに、前板４が第２板状体７１に重ならないように、互いに間隔をあけて配置されている（一対の第２板状体７１の間の間隔が、折り畳まれた前板４の奥行方向Ｚでの長さより大きい。図６および図８参照）。なお、第２板状体７１は、略矩形の板状体として示されているが、その形状は特に限定されない。
【００２８】
第３板状体７２は、第２板状体７１の表面と面接触するように平坦な表面を有していることが好ましい。第３板状体７２の個数は特に限定されないが、第２板状体７１の数に応じて設けられ、本実施形態では、折り畳み机１の奥行方向Ｚの両端側に２つの第３板状体７２を有している。なお、第３板状体７２は、略矩形の板状体として示されているが、その形状は特に限定されない。
【００２９】
第３ヒンジＨ３は、他方の側板３２が折り畳まれたときに、天板２に対して他方の側板３２が旋回するように設けられている。他方の側板３２が天板２に対して旋回することにより、他方の側板３２の内側面３２ａが、折り畳まれた一方の側板３１ａの外側面３１ｂと対向する（図１１参照）。本実施形態では、第３ヒンジＨ３の回転軸は、折り畳み机１の奥行方向Ｚに沿って延びるように設けられている。本実施形態では、第３ヒンジＨ３は、図３に示されるように、一対の第２および第３板状体７１、７２の部分において、それぞれ１つずつ設けられているが、第３ヒンジＨ３の個数は特に限定されない。また、本実施形態では、第３ヒンジＨ３は、平蝶番として示されているが、第３ヒンジＨ３は平蝶番に限定されず、他方の側板３２が天板２に対して旋回可能であれば、任意の種類のヒンジを用いることができる。
【００３０】
以上のように、一方の側板３１が前板４に向かって折り畳まれたときに、一方の側板３１と前板４とが略平行となるように、第１板状体６１が所定の厚さを有し、他方の側板３２が一方の側板３１に向かって折り畳まれたときに、他方の側板３２と一方の側板３１とが略平行となるように、第２板状体７１および第３板状体７２が所定の合計厚さを有している。これにより、図１１に示されるように、一方の側板３１、他方の側板３２を折り畳む際に、それぞれの側板３１、３２を天板２（前板４）に対して、略平行に折り畳むことができる。そのため、折り畳み机１を折り畳んだ後、折り畳み机１同士を積み重ねて収納が可能となり、効率の良い収納が可能となる。
【００３１】
また、本実施形態では、図１１および図１２に示されるように、最後に折り畳まれる他方の側板３２が折り畳まれたときに、折り畳み状態で他方の側板３２を保持するための、保持部Ｒを備えている。保持部Ｒは、折り畳まれた他方の側板３２が広がらないように保持する部分である。本実施形態では、保持部Ｒは、他方の側板３２を折り畳んだ際に、一方の保持部材Ｒ１が他方の保持部材Ｒ２に係合するように構成されている。より具体的には、保持部Ｒは、図１２に示されるように、第２板状体７１に設けられ、略円筒状の係合部を有する第１の保持部材Ｒ１と、第３板状体７２に設けられ、第１の保持部材Ｒ１の略円筒状の係合部と係合する、略Ｃ字状の第２の保持部材Ｒ２とを有している。第２の保持部材Ｒ２は、弾性変形可能な材料から形成され、他方の側板３２を折り畳んで、第２の保持部材Ｒ２の開放した部位が、第１の保持部材Ｒ１と当接すると押し広げられて、第１の保持部材Ｒ１と係合する。なお、保持部Ｒは、他方の側板３２が広がらないように保持することができれば、他の構造であっても構わない。
【００３２】
また、本実施形態の折り畳み机１では、図４、図５および図８に示されるように、前板４は、前板４の奥側の面４ｂの一方の側板３１側および他方の側板３２側に、第１および第２係合部４１、４２を有している（図４および図８参照）。また、一対の側板３１、３２のそれぞれは、図４〜図８および図１０に示されるように、第１および第２係合部４１、４２にそれぞれ係合する第１および第２被係合部Ｅ１、Ｅ２を有している。これにより、折り畳まれた他方の側板３２、一方の側板３１および前板４を順に広げた際に、前板４が広げた状態で保持される。より具体的には、第１および第２被係合部Ｅ１、Ｅ２は、折り畳み机１が広げられた状態で、前板４の奥側の面４ｂに向かって突出する突起により構成されている（図１０参照）。図４、図７および図１０に示されるように、第１被係合部Ｅ１は、本実施形態では、一方の側板３１の内側面３１ａに設けられた基部から突起が突出することにより形成されている。また、第２被係合部Ｅ２は、本実施形態では、第３板状体７２の、前板４の奥側の面４ｂに対向する面から突起が突出することにより形成されている。一方、第１および第２係合部４１、４２は、突起として示された第１および第２被係合部Ｅ１、Ｅ２が係合する係合孔として示されている。なお、第１および第２被係合部Ｅ１、Ｅ２の突起は、前板４の厚さよりも小さい突出量で突出している。また、本実施形態では、第１および第２係合部４１、４２は、略矩形状の前板４に対角状に設けられており、一方の側板３１に設けられた第１係合部Ｅ１は、前板４の下端側に対応する位置に設けられ、他方の側板３２に設けられた第２係合部Ｅ２は、前板４の上端側（天板２側）に設けられている。これにより、後述するように、一方の側板３１に設けられた第１被係合部Ｅ１は、前板４が折り畳まれた状態で、一方の側板３１を折り畳む際に前板４に干渉しない。また、他方の側板３２に設けられた第２被係合部Ｅ２は、一方および他方の側板３１、３２が折り畳まれた状態で、他方の側板３２を折り畳む際に前板４および一方の側板３１に干渉しない。したがって、折り畳み机１の使用状態において、前板４と側板３１、３２との間を、第１および第２係合部４１、４２と第１および第２被係合部Ｅ１、Ｅ２とにより安定して接続することができるうえ、このような係合構造を有していても、前板４、一方の側板３１、他方の側板３２を折り畳む際に、このような係合構造が互いに略平行な状態での折り畳みの障害とならない。
【００３３】
また、折り畳んだ状態で最外層に位置する他方の側板３２の外側面３２ｂには、図５に示されるように、折り畳まれた折り畳み机１を運ぶために、持ち手Ｇを有している。持ち手Ｇは、他方の側板３２に埋設して設けられ、折り畳み机１同士を積み重ねる際に容易に積み重ねることができる。なお、持ち手Ｇは、他方の側板３２の外側面３２ｂから突出しないように設けられることが好ましいが、わずかに突出していても構わない。持ち手Ｇは、本実施形態では、他方の側板３２のみに１つだけ設けられているが、他方の側板３２に複数設けられていてもよいし、一方の側板３１に設けられていてもよい。
【００３４】
つぎに、本実施形態の折り畳み机１の折り畳みについてより具体的に説明する。なお、以下の説明は、あくまで一例であり、以下の説明により本発明が限定されるものではない。
【００３５】
折り畳み机１を使用状態から折り畳む際には、まず、図６に示されるように、前板４を第１ヒンジＨ１を中心に旋回させ、天板２に対して折り畳む。本実施形態では、第１板状体６１の厚さと、一方の側板３１が折り畳まれた状態のときの第２ヒンジＨ２の厚さとの合計が、前板４の厚さと前板４が折り畳まれた状態のときの第１ヒンジＨ１の厚さとの合計以上であるため、一方の側板３１を天板２および前板４に対して略平行となるように、一方の側板３１を９０°旋回させることが可能となる（図９参照）。
【００３６】
また、一方の側板３１を折り畳む前に折り畳まれた前板４は、図８中、二点鎖線で示された状態から、実線へ示された状態へと移動する。そのため、図８および図１０に示されるように、前板４と一方の側板３１とを繋ぐ、突起として設けられた第１被係合部Ｅ１は、一方の側板３１とともに図１０に示されるように第２ヒンジＨ２を中心に旋回したときに、前板４と干渉することがない。そのため、一方の側板３１の天板２および前板４に略平行な状態での折り畳みに、突状の第１被係合部Ｅ１が邪魔になることがない。
【００３７】
一方の側板３１が図９および図１０に示されるように折り畳まれると、次に他方の側板３２を折り畳む。本実施形態では、他方の側板３２が一方の側板３１に向かって折り畳まれたときに、第２板状体７１の厚さ、第３板状体７２の厚さ、および他方の側板３２が折り畳まれた状態のときの第３ヒンジＨ３の厚さの合計が、第１板状体６１の厚さ、一方の側板３１が折り畳まれた状態のときの第２ヒンジＨ２の厚さ、および一方の側板３１の厚さの合計以上である。このため、図１１に示されるように、他方の側板３２を折り畳んだ際に、他方の側板３２を天板２、前板４および一方の側板３１に対して略平行に折り畳むことができる。
【００３８】
また、前板４と他方の側板３２とを繋ぐ、突起として設けられた第２被係合部Ｅ２は、本実施形態では、第３板状体７２に設けられており、第１被係合部Ｅ１と同様に、他方の側板３２とともに第３ヒンジＨ３を中心に旋回したときに、前板４と干渉することがない。さらに、第２被係合部Ｅ２は、天板２に近い位置に設けられているため、他方の側板３２の回転軸（第３ヒンジＨ３）から近い位置にあるため、既に折り畳まれた一方の側板３１とも干渉することがない。すなわち、第２被係合部Ｅ２が、高さ方向Ｘで第１被係合部Ｅ１と同じ高さの位置などに設けられる場合は、第２被係合部Ｅ２が一方の側板３１の外側面３１ｂに当接して、他方の側板３２を９０°回転させることができないが、第２被係合部Ｅ２を天板２側の端部に設けることにより、第２被係合部Ｅ２が一方の側板３１の外側面３１ｂに当接せず、係合構造を有していても、他方の側板３２の略平行な折り畳みが可能となる。
【００３９】
他方の側板３２が折り畳まれると、図１１に示されるように、天板２、前板４、一方の側板３１、他方の側板３２が略平行な状態となる。これにより、複数の折り畳み机１を折り畳んだ状態で、互いに積み重ねることが可能となり、収納効率が向上する。
【００４０】
＜第２実施形態＞
つぎに、折り畳み机の第２実施形態について説明する。なお、第１実施形態で説明した特徴については、第２実施形態の折り畳み机に適用することが可能であり、第１実施形態の折り畳み机と共通する点については説明を省略し、第２実施形態について、第１実施形態との相違点を中心に説明する。
【００４１】
本実施形態の折り畳み机１００は、第３のヒンジ部７が、天板２の下面２ａに取り付けられた第２板状体７１０と、第２板状体７１０と、他方の側板３２の内側面３２ａとを接続し、他方の側板３２が天板２に対して回転するように設けられた第３ヒンジＨ３とを有している。本実施形態では、第３板状体は設けられていない。なお、第２板状体７１０は、他方の側板３２の内側面３２ａに取り付けられていてもよく、この場合、第２板状体７１０と、天板２の下面２ａとが、第３ヒンジＨ３により接続される。本実施形態では、他方の側板３２が一方の側板３１に向かって折り畳まれたときに、他方の側板３２と一方の側板３１とが略平行となるように、第２板状体７１０が所定の厚さを有している。より具体的には、他方の側板３２が一方の側板３１に向かって折り畳まれたときに、第２板状体７１０の厚さ、および他方の側板３２が折り畳まれた状態のときの第３ヒンジＨ３の厚さの合計が、第１板状体６１の厚さ、一方の側板３１が折り畳まれた状態のときの第２ヒンジＨ２の厚さ、および一方の側板３１の厚さの合計以上である。
【００４２】
上述した構成により、本実施形態では、第１実施形態と同様に、第３板状体を設けることなく、天板２、前板４、一方の側板３１、他方の側板３２を略平行な状態で折り畳むことができる。これにより、複数の折り畳み机を折り畳んだ状態で、互いに積み重ねることが可能となり、収納効率が向上する。
【符号の説明】
【００４３】
１、１００  折り畳み机
２  天板
２ａ  天板の下面
３１  一方の側板
３１ａ  一方の側板の内側面
３１ｂ  一方の側板の外側面
３２  他方の側板
３２ａ  他方の側板の内側面
３２ｂ  他方の側板の外側面
４  前板
４ａ  前板の手前側の面
４ｂ  前板の奥側の面
４１  第１係合部
４２  第２係合部
５  第１のヒンジ部
６  第２のヒンジ部
６１  第１板状体
７  第３のヒンジ部
７１、７１０  第２板状体
７２  第３板状体
Ｅ１  第１被係合部
Ｅ２  第２被係合部
Ｇ  持ち手
Ｈ１  第１ヒンジ
Ｈ２  第２ヒンジ
Ｈ３  第３ヒンジ
Ｌ  側板の下端
Ｒ  保持部
Ｒ１  第１の保持部材
Ｒ２  第２の保持部材
Ｘ  折り畳み机の高さ方向
Ｙ  折り畳み机の幅方向
Ｚ  折り畳み机の奥行方向
【図１】
2018086074.tif 000003
【図２】
2018086074.tif 000004
【図３】
2018086074.tif 000005
【図４】
2018086074.tif 000006
【図５】
2018086074.tif 000007
【図６】
2018086074.tif 000008
【図７】
2018086074.tif 000009
【図８】
2018086074.tif 000010
【図９】
2018086074.tif 000011
【図１０】
2018086074.tif 000012
【図１１】
2018086074.tif 000013
【図１２】
2018086074.tif 000014
【図１３】
2018086074.tif 000015